(57)【要約】      （修正有）【課題】保温性に優れ、速やかに給排気することができ、少ない給気量で空気膜を形成し、その平衡状態を維持することが可能な農業ハウス用内張りカーテンを提供する。【解決手段】重ね合わせた２枚の樹脂フィルム８、９の各端辺を密封して形成されるチューブ体２と、チューブ体へ給気するための給気ファンとを備えた農業ハウス用内張りカーテン１であって、チューブ体の長さ方向の各端辺近傍に一つの開口部３を設け、各開口部に給気ファンを非気密的に装着してなる農業ハウス用内張りカーテンである。【選択図】図１
2010178669.tif 000002
【特許請求の範囲】
【請求項１】
重ね合わせた２枚の樹脂フィルムの各端辺を密封して形成されるチューブ体と、独立した２枚の封止シートとを備え、チューブ体が、長さ方向の各端辺近傍にチューブ体を膨張させるための空気を送る給気ファンが非気密的に装着された一つの開口部を有し、各封止シートが、チューブ体の幅方向の両端辺下方に沿って設けられることにより、チューブ体と協働して栽培室と天井部空間を仕切ることを特徴とする農業用ハウス用内張りカーテン。
【請求項２】
チューブ体が、幅方向の各端辺に巻上げパイプを有する請求項１記載の農業ハウス用内張りカーテン。
【請求項３】
巻上げパイプが、チューブ体を構成する２枚のフィルムのいずれか一方の端辺に接続された継ぎ手シートに固定されたものである請求項２記載の農業ハウス用内張りカーテン。
【請求項４】
巻上げパイプにチューブ体を構成する重ね合わされた２枚のフィルムの幅方向の端辺をパッカーで嵌着し、少なくとも１回転捲回することにより、チューブ体の幅方向の端辺が密封されたものである請求項２記載の農業ハウス用内張りカーテン。
【請求項５】
給気ファンが、プロペラ型軸流ファンであり、チューブ体の開口部に沿って装着された枠体に支持部材を介して固定されたものである請求項１ないし４のいずれかの項記載の農業ハウス用内張りカーテン。
【請求項６】
チューブ体の開口部の面積が給気ファンの面積の２〜５倍で、かつ給気ファンの吐出口が開口部の開口面に略平行して取り付けられている請求項１ないし５のいずれかの項記載の農業ハウス用内張りカーテン。
【請求項７】
さらに、チューブ体の開口部の２枚の樹脂フィルム間に、空気が流通する空間を確保するための空間保持枠を備えた請求項１ないし６のいずれかの項記載の農業ハウス用内張りカーテン。
【請求項８】
給気ファンと、支持部材を介して給気ファンを支持する枠体と、枠体をチューブ体の開口部に取り付ける装着部材と、チューブ体開口部の２枚のフィルムの間に空気を流通するために空間を確保するための空間保持部材とを備え、枠体の面積が給気ファンの面積より大きく、装着部材が２重環からなり、チューブ体の開口端部を２重環の間で着脱自由に挟持することを特徴とする農業ハウス用内張りカーテンの給気装置。
【請求項９】
給気ファンがプロペラ型軸流ファンである請求項８記載の内張りカーテン用給気装置。
【請求項１０】
下記（１）ないし（４）の工程を含む請求項１ないし７のいずれかの項記載の農業ハウス用内張りカーテンの操作方法。
（１）内張りカーテンを農業ハウスに展張し、両方の給気ファンの稼動により実質的に
気密状態としたチューブ体の開口部から空気を供給してチューブ体を膨張させ空
気膜を形成する工程
（２）両方の給気ファンの継続稼動により、開口部からの排気量とバランスする量の空
気を供給してチューブ体の膨張状態を維持する工程
（３）両方の給気ファンの停止により、チューブ体内部の空気を自然排出する工程
（４）空気が排出されたチューブ体を巻上げる工程
【請求項１１】
さらに下記の工程を含む請求項１０記載の農業ハウス用内張りカーテンの操作方法。
（５）何れか一方の給気ファンのみの稼動により、チューブ体内部の空気を循環させ乾
燥する工程
【発明の詳細な説明】
【技術分野】
【０００１】
本発明は農業用ハウスの内部に展張し、二層構造によって空気膜を形成する内張りカーテンに関し、さらに詳細には、小型の給気ファンを用いた簡易な構造によって、速やかに空気膜を形成し、その平衡状態を維持できるとともに、排気も速やかに行うことが可能であり、保温性にも優れた農業ハウス用内張りカーテンに関する。
【背景技術】
【０００２】
今日、促成栽培や防寒等を目的として、ポリ塩化ビニル等の被覆材を外側に被覆したハウス栽培が広く行われている。このような農業ハウスでは、低温期にもハウス内の温度を高く保つため、暖房機を稼動してハウス内に温風を供給している。しかし、夜間のハウス内の温度低下を防止するには、多量の燃料を使用して暖房機を稼動させる必要があり、多大な暖房コストを要するという問題があった。
【０００３】
これに対し、ハウス内において保温性を備えた内張り材を二重または三重に展張することにより、ハウス内の栽培室と上部を遮断して、栽培室の温度低下を防止する手段が採られている。しかしながら、二重では十分な保温効果を得ることができず、三重では保温性は高まるものの、設置するためのコストや労力が大きいため普及には至っていない。また内張り材は、夜間は保温のため展張するが、日中は採光のため巻き上げる必要があり、内張り材を二重または三重に設置した場合には、展張および巻き上げの作業が煩雑となる問題もあった。このように、安価かつ簡易な装置で最大限の省エネ効果を達成することがハウス農家にとって大きな課題であった。
【０００４】
上記課題を解決するため、２枚のフィルムを重ねてチューブ形態とし、これに送風口と多数の空気抜き孔とを設けて、空気膜の形成と排気巻上げ機能を持たせた内張りカーテンが提案されている（特許文献１）。しかしながら、この内張りカーテンは、空気抜き孔から絶えず空気が排出される構造であるため、チューブを膨張させて空気膜を形成するためには、常に排気量を上回る空気を給気ファンから供給する必要があり、運転コストが高くなる問題があった。さらに、膨張後チューブ体内部では空気が絶えず流動し、内張りカーテンの上部から冷却されたチューブ内の空気が空気抜き孔を通じて栽培室に移動してくるため、保温性が十分なものとはいえなかった。
【０００５】
一方、このような二重のシート内に給気する手段として、エアハウスにおいて、二重シートに気密的に給気ファンを取り付けた構造が開示されている（特許文献２）。しかしながら、この構造を内張りカーテンに転用した場合には、排気の際に、ファンのプロペラが内部からの空気の排出の障害となるため、排気が完了するまでに時間を要するという問題があった。
【先行技術文献】
【特許文献】
【０００６】
【特許文献１】特開２００５−３３３９３２号公報
【特許文献２】特開２００４−３３０６５号公報
【発明の概要】
【発明が解決しようとする課題】
【０００７】
本発明は、前記のごとき課題を解決したもので、保温性に優れるとともに、給気ロスが少なく短時間でチューブ体を膨張させて空気膜を形成し、チューブ体が所定の膨張状態に達した後は、自立的にその膨張状態を維持することが可能な農業ハウス用内張りカーテンを提供することを目的としている。
【課題を解決するための手段】
【０００８】
本発明者は、上記課題を解決するために鋭意研究を行ったところ、密封状態のチューブ体の開口部に、給気ファンを非気密的に装着させることにより、給気初期においては、非気密的開口部が負圧となり実質的に気密状態となることから、給気ロスが小さく短時間でチューブ体を膨張させて空気膜が形成され、一定の膨張状態に達した後には少量の継続給気により膨張状態を維持することができ、さらに給気ファンの停止により、自然にかつ速やかにチューブ体の開口部から排気されることを見出し、本発明を完成するに至った。
【０００９】
本発明は、かかる知見にもとづくもので、重ね合わせた２枚の樹脂フィルムの各端辺を密封して形成されるチューブ体と、独立した２枚の封止シートとを備え、チューブ体が、長さ方向の各端辺近傍にチューブ体を膨張させるための空気を送る給気ファンが非気密的に装着された一つの開口部を有し、各封止シートが、チューブ体の幅方向の両端辺下方に沿って設けられることにより、チューブ体と協働して栽培室と天井部空間を仕切ることを特徴とする農業用ハウス用内張りカーテンである。
【００１０】
また本発明は、給気ファンと、支持部材を介して給気ファンを支持する枠体と、枠体をチューブ体の開口部に取り付ける装着部材と、チューブ体開口部の２枚のフィルムの間に空気を流通するために空間を確保するための空間保持部材とを備え、枠体の面積が給気ファンの面積より大きく、装着部材が２重環からなり、チューブ体の開口端部を２重環の間で着脱自由に挟持することを特徴とする農業ハウス用内張りカーテンの給気装置である。
【発明の効果】
【００１１】
本発明の農業ハウス用内張りカーテンは、給気ファンが開口部に非気密的に装着されていながらも、給気初期には実質的に気密状態となるため、給気ロスが少なく短時間でチューブ体を膨張させ空気膜を形成することが可能である。また、チューブ体が所定の膨張状態に達した後は、主に開口部付近で空気の流出入が行われ、チューブ体内部における空気の対流が生じにくいため、優れた断熱効果を発揮する。またチューブ体が給気ファンに対して大きな開口部を有することで、給気ファンの停止により、短時間でチューブ体からの排気が可能となる。
【発明を実施するための形態】
【００１２】
以下、本発明の農業ハウス用内張りカーテンおよびこれに利用する給気装置の実施態様を、図面に基づいて具体的に説明する。なお、本発明はこれら実施態様に何ら制約されるものではない。
【００１３】
図１は、本発明に係る農業ハウス用内張りカーテンの一つの実施形態を示す模式図であり、図２は、このうち開口部付近の拡大図である。図１および２中、１は内張りカーテン全体、２はチューブ体、３は開口部、４は給気ファン、５は空間保持枠、６は枠体、７は支持部材、８は上側フィルム、９は下側フィルム、１０は継手シート、１１は巻上げパイプ、１２は吐出口、１３は吸込口、１４は枠部材、１５は封止シートをそれぞれ示す。
【００１４】
チューブ体２は、各端辺が密封されたものであり、その材質としては通常の農業ハウス用内張りカーテンに用いられるものであれば特に制限されないが、好ましくはポリ塩化ビニル系樹脂フィルム、またはポリプロピレン、ポリエチレン等のオレフィン系の樹脂フィルムである。このような樹脂フィルムを２枚重ね合わせて４つの各端辺を接着して形成されたチューブ体が好適に用いられる。樹脂フィルムの端辺を接着させるにあたっては、ヒートシールによって溶着する方法や、接着剤を用いて接着させる方法が利用できる。また、チューブ体２の幅方向の端辺については、継手シート１０を設けず、巻上げパイプ１１に重ね合わせた２枚の樹脂フィルムの端辺をパッカーで嵌着し、少なくとも１回転捲回することにより実質的に密封することも可能である。パッカーは、巻上げパイプに嵌着可能な、一部が開放された環状締結体である。樹脂フィルムの厚みも特に限定されないが、通常０．０５〜０．２ｍｍ程度であればよい。
【００１５】
チューブ体２の長さ方向の端辺近傍には、開口部３が下側フィルム９に設けられる。開口部３の位置は、チューブ体２の両端辺近傍において、幅方向の中央部分であることが好ましく、この位置であれば、チューブ体２の巻上げを阻害することがない。この開口部３に、給気ファン４が非気密的に装着される。本発明において、非気密的とは、給気ファンの吐出口１２および吸込口１３以外に、チューブ体２の内外に空気が流通可能な空間を設けて、給気ファン４が開口部３に装着されていることを意味する。例えば、開口部３の面積を給気ファン４の面積よりも大きくすることにより、開口部３の平面上において、給気ファン４と開口部３の間に空気が流通可能な空間を設けることができる。また給気ファン４の吐出口１２の面を、開口部３の面に対してチューブ体２の外部方向へ離間させて装着することにより、給気ファン４の吐出口１２の面と開口部３の面との間に、空気が流通可能な空間を設けることができる。開口部３および給気ファン４は、チューブ体２の少なくともいずれかの端辺に一つ設けられていればよいが、両端辺に一つずつ設けられていると、チューブ体２への給気および排気に要する時間を短縮することができ、更には、片方の給気ファン４を停止し、もう一方の給気ファン４を稼動させることで、露点に達したチューブ体２の内部に栽培室の乾燥した空気を循環させ、チューブ体内部を乾燥できる利点がある。
【００１６】
このように、チューブ体２の開口部３に給気ファン４を非気密的に装着することにより、給気ファンを停止してチューブ体２から排気させる際には、開口部３と給気ファン４との間に設けられた空間から自然に空気を排出できるとともに、給気初期には、この空間から空気が漏出する量が給気量に比べて少ないため、効率良く速やかにチューブ体２を膨張させることができるが、その理由は次のように考えられる。すなわち、給気ファン４の稼動によりチューブ体２内部に空気が供給される際、空気流によって開口部付近では負圧となる。このため、供給初期のチューブ体内部の圧力が低い場合には、開口部３と給気ファン４との間に設けられた空間においても、チューブ体２の外部から内部へ向かう空気の流れが生じ、開口部３にはいわばエアシャッターが形成され、実質的に気密状態となる。したがって、供給された空気のロスが少なく効率的にチューブ体に空気が充填され速やかに膨張し、空気膜を形成させることができる。一方、チューブ体２の内部に一定の量の空気が満たされ、内部の圧力が上昇するに伴い、開口部３と給気ファン４との間の空間から空気が排出されるようになる。この排気量と給気量とがバランスすることにより、形成された空気膜の平衡状態が自立的に維持される。このように、平衡状態においては、主に開口部付近でのみ空気が流出入し、チューブ体２の内部では空気の動きが小さいため、断熱効果に優れ保温性が高い。そして、給気ファン４を停止させると、開口部３と給気ファン４との間の空間を通じて、チューブ体２内部の空気が速やかに排出される。これに対し、給気ファンを気密的に装着し、空気の流通部分が給気ファンの吐出口および吸込口のみとした場合には、給気ファンが逆止弁のように機能して排気が妨げられ、排気に時間を要することになる。
【００１７】
給気ファン４は、軸流ファン（プロペラ型、スクリュー型）や斜流ファン、遠心ファン（シロッコ型、エアホイル型、ターボ型）等の各種給気ファンを使用できる。これらの給気ファンはチューブ体２の容量や開口部３の面積等に応じて、適宜最大風量、最大静圧、吐出口径等が設定される。
【００１８】
上記給気ファンのうち、プロペラ型軸流ファンが好ましい。プロペラ型軸流ファンを用いると、ファンの軸方向に沿って扇形に風が広がり、これが上側フィルムあるいは分散板に当たると軸方向と直交する方向に分散するため、給気時における開口部からの空気の漏出を防止する効果が高い。また、一般にプロペラ型軸流ファンは、給気量が大きく静圧が小さいため、チューブ体２の容量や開口部３の面積等に応じ適切な特性値を有するプロペラ型軸流ファンを選択することによって、短時間でチューブ体を膨張させ空気膜を形成できるとともに、所定の膨張状態に達し内圧が上昇すると給気量が減少し、チューブ体が過剰に膨張することを防止できる。このように給気量が減少すると、開口部での空気の流出入量が減少するため、空気の対流をより抑制して断熱効果が向上する。さらにプロペラ型軸流ファンは他の給気ファンと比較して安価であるため、コスト面でも有利である。より具体的には、例えば、２枚のポリ塩化ビニル製フィルムから形成される、幅５ｍ、長さ５０ｍ、厚さ０．２ｍの容量約５０ｍ3のチューブ体を用い、その両端に一つずつ直径２００ｍｍの円形の開口部を設けた場合、吐出口径１００ｍｍ程度、最大風量３．０ｍ3／分、最大静圧６４Ｐａ程度のプロペラ型軸流ファンが好適に使用できる。
【００１９】
給気ファン４は、適当な装着手段によって開口部３に装着される。例えば、開口部３に沿って枠体６を装着し、これに支持部材７を介して給気ファン４を固定させればよい。枠体６は、２重環からなり、チューブ体の開口部を２重環の間で着脱自在に挟持する構造とすることができる。例えば、凸条部を設けた下側フレームと凹条部を設けた上側フレームからなる構成とし、これらによって開口部３に沿って下側フィルム９を挟持し凹条部と凸条部とを嵌合させることにより装着させることができる。また、上側フレームと下側フレームにこれらを嵌合可能なテーパーを付した構成としてもよい。一方、外周面にそって形成された凹条部を有する略環状であり、その直径を調節可能とするスライド機構を備えた枠体を用いて、これを開口部３のフィルム面に凹条部が当接する大きさまでスライドさせることによって、開口部３に装着することもできる。また枠体６の高さは、チューブ体２の容量、給気ファン４の給気量等に応じて適宜設定され、円筒状とすることもできる。
【００２０】
給気ファン４の面積に対するチューブ体２の開口部３の面積は、チューブ体２の容量、フィルム荷重、給気ファン４の給気量、給気ファンの開口部３に対する取り付け位置等に応じて適宜設定されるが、通常給気ファン４の面積の２〜５倍であることが好ましく、３〜４倍がより好ましい。この範囲であると、上記したように給気時には給気ファン４と開口部３の間の空間から空気が漏出するのを抑制し、排気時には、速やかにチューブ体２から空気を排出することができる。なお、給気ファン４の面積とは、開口部３の面に投影した面積であり、吐出口１２の面積だけでなく、枠部材１４や支持部材７を投影した面積も含まれる。
【００２１】
また、給気ファン４の装着位置も、チューブ体２の容量、フィルム荷重、給気ファン４の給気量、開口部３の面積、枠体６の高さ等に応じて適宜設定される。給気ファン４は、吐出口面１２が枠体６の上面および下面の間となる任意の位置に装着可能であるが、枠体６の下面から離間した位置に装着することも可能である。例えば、チューブ体が２枚のポリ塩化ビニル製フィルムから形成される、幅５ｍ、長さ５０ｍ、厚さ０．２ｍの容量約５０ｍ3のものであり、給気ファン４として、吐出口径１００ｍｍ程度、最大風量３．０ｍ3／分、最大静圧６４Ｐａ程度のプロペラ型軸流ファンを使用し、開口部３の面積が給気ファンの面積の３〜４倍であって、枠体６の高さが４ｃｍである場合、吐出口１２の面がチューブ体２の開口部３の面に対して、通常チューブ体２の内部１ｃｍから外部２０ｃｍの位置にこれらの面が略平行になるように装着されればよく、好ましくはチューブ体２の内部１ｃｍから外部１５ｃｍの位置であり、より好ましくは内部１ｃｍから外部５ｃｍである。この範囲であると、給気時における給気ファン４と開口部３の間の空間からの空気の漏出がより抑制される。
【００２２】
本発明の農業ハウス用内張りカーテン１は、さらにチューブ体２の開口部３において空間保持枠５を備えることが好ましい。この空間保持枠５により、開口部３においてチューブ体２を形成する２枚のフィルム間に空気が流通する空間が確保され、より速やかに給排気を行うことができる。空間保持枠５は、チューブ体２内部に設けても、枠体６や支持部材７に設けてもよい。空間保持枠５の高さも、チューブ体２の容量、フィルム荷重、給気ファン４の送風量等に応じて適宜設定される。
【００２３】
本発明の農業ハウス用内張りカーテン１は、チューブ体２の開口部３における上下のフィルムの間隔に対し、給気ファン４の給気量が十分である場合には、給気ファン４からチューブ体２内部に流入した風は、上側フィルム８に当たって分散し、開口部３からチューブ体２内部へと向かう空気の流れを形成するため、給気時における開口部３からの空気の漏出は防止される。一方、給気量に対しフィルムの間隔が大きい場合には、チューブ体２の開口部３において分散板を設けることが好ましく、これにより給気ファン４からチューブ体２内部に流入した空気を分散させて、同様に開口部３からの空気の漏出が抑制される。分散板はチューブ体２内部に設けても、枠体６や支持部材７に設けてもよく、開口部３と略平行に支持体で支持する構造とすればよい。
【００２４】
またチューブ体２は、幅方向の両端辺に巻上げパイプ１１を取り付けたものであることが好ましい。巻上げパイプ１１は、チューブ体２を形成するいずれかのフィルムの端辺に継手シート１０を接合し、これを介して取り付けることができる。公知の巻上げ機構を採用し、この巻上げパイプ１１を回転させることによって、チューブ体２を展張、巻上げすることができる。
【００２５】
内張りカーテン１の展張時には、チューブ体２と、２枚の独立した封止シート１５とが協働して栽培室と天井部空間とが仕切られる。封止シート１５の一方の端辺は、農業ハウスの壁面（サイドビニール）に固定されるか、または複数の農業ハウスが連結している場合には、隣接する農業ハウスの封止シートに接合される。他方の端辺は、チューブ体２の幅方向の端辺下方に沿うように内張りカーテン１を載置する内枠パイプ等に固定される。チューブ体２が膨張すると、幅方向の端辺において封止シート１５と略接触し、この部分でシール構造が形成される。
【００２６】
本発明の農業ハウス用内張りカーテンは、チューブ体２の容量、フィルム荷重、開口部３の面積等を考慮して給気ファン４の給気量や静圧等を設定することにより、チューブ体２膨張後に給気ファン４を継続運転しても、開口部３において給気量と排気量がバランスしチューブ体２の平衡状態を維持することが可能であるが、給気ファン４は可変抵抗器等の給気量を調節する制御手段を備えていることが好ましい。これにより、給気時には給気量を増加させて速やかにチューブ体２を膨張させ、所定の膨張状態に達した後には、排気量とバランスする程度の給気量に減少させることにより、運転コストを抑制しながら膨張したチューブ体の平衡状態を維持することができる。例えば、給気ファン４が、給気時は全開で運転を行い、チューブ体２膨張後、内圧が上がると同時にモーターの抵抗を検知して回転数を設定値に自動抑制し、更に、膨張時に巻上げを行った場合等過度に負担が掛る抵抗を検知した場合は自動停止する制御手段を備えていることが好ましい。
【００２７】
チューブ体２を膨張させることにより形成される空気膜は、厚みが大きい程断熱効果が向上する。膨張時のチューブ体２の厚みは、チューブ体２の容量、フィルム荷重、開口部３の面積等を考慮して、給気ファン４からの給気量を調節することによって制御することができる。例えば、チューブ体が２枚のポリ塩化ビニル製フィルムから形成される、幅５ｍ、長さ５０ｍ、厚さ０．２ｍの容量約５０ｍ3のものであり、給気ファン４として、吐出口径１００ｍｍ程度、最大風量３．０ｍ3／分、最大静圧６４Ｐａ程度のプロペラ型軸流ファンを使用し、開口部３の面積を給気ファンの面積の３〜４倍とした場合、給気ファンの出力を２０％程度で運転すると最大厚み３０ｃｍ程度で維持され、出力を５０％とすると最大厚み６０ｃｍ程度にすることができる。一方、膨張時のチューブ体２は、幅方向の中央部分が厚く、端部が薄い形状となるが、厚みが大きくなるととともに、チューブ体２が幅方向中央に向かって収縮することになる。このため、上記封止シート１５は、チューブ体２が収縮しても幅方向端辺で略接触した状態を維持できる幅を有している必要がある。しかし、封止シートの幅が大きすぎると農業ハウスの外被覆材を開放した場合に、天井部からの風圧により破損する危険性がある。上記条件においては、封止シートの幅は７０ｃｍ程度であればチューブ体２の厚みを６０ｃｍ程度に膨張させても、気密状態を維持することができ、破損の危険性もないため好適である。
【００２８】
本発明の農業ハウス用内張りカーテン１は以下のようにして操作する。すなわち、まず農業ハウスに内張りカーテン１を展張し、両方の給気ファン４の稼動により実質的に気密状態としたチューブ体２開口部から空気を供給してチューブ体２を膨張させ空気膜を形成する（工程（１））。上述のように、空気流によって開口部付近では負圧となるため、供給初期のチューブ体２内部の圧力が低い場合には、開口部３は実質的に気密状態となる。したがって、供給された空気のロスが少なく効率的にチューブ体２に空気が充填されて膨張し、速やかに空気膜を形成させることができる。
【００２９】
チューブ体２が所定の膨張状態に達すると、両方の給気ファンの継続稼動により、開口部からの排気量とバランスする量の空気を供給してチューブ体の膨張状態を維持する（工程（２））。内部の圧力が上昇するに伴い、開口部３と給気ファン４との間の空間から空気が排出されるようになるが、この排気量と給気量とがバランスすることにより、その平衡状態が自立的に維持される。通常夜間にこのようにしてチューブ体２の膨張状態を維持し、その断熱効果によって栽培室を保温する。
【００３０】
朝になると、両方の給気ファンの停止により、チューブ体内部の空気を自然排出する（工程（３））。開口部３から、チューブ体２内部の空気が速やかに排出される。排出後は、栽培室への採光のためチューブ体２を巻上げる（工程（４））。巻上げ後は、何れか一方の給気ファン４のみの稼動により、チューブ体２内部の空気を循環させ乾燥する（工程（５））。栽培室の乾燥した空気をチューブ体２内部に循環させ、結露により残留した水を乾燥させる。このようにチューブ体２の内部を乾燥させることにより、再度工程（１）においてチューブ体２を膨張させる際に、フィルム同士が密着するのを防止できる。給気ファンの稼動開始や停止の時間は、日の出時刻や日照時間等に応じて適宜設定することができる。また、内張りカーテンを展張する時間から逆算して１時間前に給気ファンを停止させることが好ましい。
【００３１】
図３は、本発明の内張りカーテン用送風装置の実施形態を示す模式図である。４は給気ファン、６は外周面上に凹条部６ａを備えた枠体、７は支持部材、１３は吸込口、１４は枠部材、１６は分散板、１７は支持体である。給気ファン４および枠体６は上記と同様であり、枠体は内張りカーテンのチューブ体の開口部に着脱可能に形成されている。給気ファン４が枠体６に支持部材７を介して固定されており、支持部材７には、支持体１７によって支持された分散板１６が備えられている。この支持体１７および分散体１６によって、流入する空気が分散されるとともに、空気が流通する空間も確保され、給排気が速やかに行われる。枠体６は、外周面にそって形成された凹条部６ａを有する略環状であり、その直径を調節可能とするスライド機構を備えたものであり、これをチューブ体２の開口部３のフィルム面に凹条部６ａが当接する大きさにまでスライドさせることによって、開口部３に係止して装着される。またこれをスライドさせて開口部３の直径よりも小さくすることにより脱着される。その他にも枠体は、２重環からなり、チューブ体の開口部を２重環の間で着脱自在に挟持する構造とすることができる。例えば、凸条部を設けた下側フレームと凹条部を設けた上側フレームからなる構成とし、これらによって開口部３に沿って下側フィルム９を挟持し凹条部と凸条部とを嵌合させることにより装着させることができる。また、上側フレームと下側フレームにこれらを嵌合可能なテーパーを付した構成としてもよい。枠体６と給気ファン４の面積および位置の関係は、上記した開口部３と給気ファン４の面積および位置の関係と同様である。
【００３２】
図４および５は、本発明の内張りカーテンを農業ハウスに設置した模式図である。２２は内枠パイプ、２３は受け皿部、２４は巻上げ機、２５は可変抵抗器、２６はタイマー、２７はサイドビニール、Ｓ１は栽培室、Ｓ２は天井部空間を示す。内張りカーテン１は、農業用ハウス２１に設けられた内枠パイプ２２上に載置される。夜間は、チューブ体２を巻上げ機２４により展張させ、受け皿部２３に巻上げパイプ１１が到達させたチューブ体２と封止シート１５により栽培室Ｓ１と天井部空間Ｓ２とが仕切られる。給気ファン４を稼動させると、開口部３から空気が供給されチューブ体２が膨張していく。膨張したチューブ体２と封止シート１５が略接触状態となり、シール構造が形成される。チューブ体２が一定の厚みに膨張すると開口部３から空気が排出され、これが給気量とバランスすると平衡状態が維持される。朝になり、給気ファン４の稼動を止めると、開口部３からチューブ体２内部の空気が速やかに排気される。排気後は、巻上げ機２４により内張りカーテン１を巻き上げる。巻き上げ後、チューブ体２内部に結露による水が残留している場合には、一方の給気ファン４のみを運転することにより、チューブ体２内部に栽培室Ｓ１の暖かい空気が循環し、内部を乾燥させることができる。これによって、残存した水滴により光線の透過率が低下することを防止できる。
【実施例】
【００３３】
実施例１
幅５６０ｃｍ、長さ５０ｍで厚み０．０５ｍｍ（上側）および０．０７５ｍｍ（下側）の２枚のポリエチレン樹脂フィルムを重ね合わせ、４辺をヒートシールにより圧着させてチューブ体を成形した。チューブ体の幅方向の各端辺には、さらに幅３５ｃｍ、長さ５０ｍ、厚み０．１３ｍｍのポリ塩化ビニル製継手シートをチューブ体の下側に圧着して接合した。この継ぎ手シートの接合面と反対側の端部に、継手シートを挟んで直径３２ｍｍの巻上げパイプにパッカーを嵌合して固定した。チューブ体の長さ方向の両端辺付近に、直径２００ｍｍの円形の開口部を一つずつ設けた。給気装置として、吐出口径１００ｍｍ、最大風量３．３ｍ3／分、最大静圧６３．７Ｐａで、１２０ｍｍ角、３８ｍｍ厚の枠部材を有し、出力を調整可能な可変抵抗器を備えたプロペラ型軸流ファンを、支持部材を介して枠体に固定したものを用い、この枠体をチューブ体開口部に装着して内張りカーテンを作製した。
【００３４】
幅約５ｍ奥行き約５０ｍの農業用ハウス内に内枠パイプを設け、その上に上記内張りカーテンを載置した。内枠パイプの下面に幅７０ｃｍの封止シートを敷設した。巻き上げ機により内張りカーテンを展張し、巻上げパイプを受け皿に到達させた。給気ファンを稼動（出力５０％）させると、約２０分間でチューブ体が膨張し空気膜が形成された。空気膜の厚みは、長さ方向の中央部分で約３０ｃｍ、端部で約１０ｃｍであった。給気ファンを連続で１４時間稼動（出力５０％）させたところ、空気膜の厚みは、長さ方向の最大部分で約６０ｃｍ、端部で約２０ｃｍで、その間膨張した状態が維持されていた。給気ファンの運転を停止すると、約４０分でチューブ体内の空気の排出が完了した。排気後巻き上げ機構により内張りカーテンを巻き上げた。一方の給気ファンのみ６時間運転することにより膜内に結露した水分を乾燥させた。この内張りカーテンの展張・巻上げ操作、および給気ファン稼動のダイヤグラムを図６に示す。
【００３５】
実施例２
幅約５ｍ奥行き約５０ｍの農業用ハウス内において、実施例１で製作した内張りカーテン（試験区１および２）と、塩化ビニル製フィルム（０．０７５ｍｍ）二重張り（対象区）との重油消費量を比較した。いずれにおいても、実施例１と同じダイヤグラムで内張り材の展張・巻上げを行った。試験区１および２では、給気ファンの稼動を実施例１と同じダイヤグラムで行い、試験区１では給気ファンの連続稼動時の出力は２０％、試験区２では出力５０％とした。空気膜の厚みは、試験区１では平均約２０ｃｍ、試験区２では平均約４０ｃｍであった。暖房装置（ネポン社製）を１９±１℃に設定した時の１日１０アール当りの重油消費量（Ｌ）を調べた。農業ハウス内設定温度（１９℃）と１日の農業ハウス外の最低気温の差に対する重油消費量の散布図を図７に示す。また、それぞれの指数近似式から、ハウス内設定温度とハウス外最低気温との温度差が１５℃または２０℃の時の１日１０アール当りの重油消費量（Ｌ）を求めた。結果を表１に示す。
【００３６】
【表１】
2010178669.tif 000003
【００３７】
本発明の内張りカーテンを用いた試験区１および２では、塩化ビニル製フィルム二重張りの対象区に対し、重油消費量が大幅に抑制されることが示された。特に空気膜の厚みを大きくした試験区２では顕著な重油消費量抑制効果が示され、本発明の内張りカーテンを使用することにより、優れた省エネ効果が得られることが明らかとなった。
【図面の簡単な説明】
【００３８】
【図１】本発明に係る農業ハウス用内張りカーテンを示す模式図。
【図２】図１の農業ハウス用内張りカーテンの開口部付近の一部切り取り拡大図。
【図３】本発明に係る給気装置を示す模式図。
【図４】本発明に係る農業ハウス用内張りカーテンを農業ハウスに設置した状態を示す正面図。
【図５】本発明に係る農業ハウス用内張りカーテンを農業ハウスに設置した状態を示す斜視図。
【図６】実施例１における給気ファンのダイヤグラムを示す図である。
【図７】実施例２における気温差に対する重油消費量の散布図である。
【符号の説明】
【００３９】
１  …  …  内張りカーテン
２  …  …  チューブ体
３  …  …  開口部
４  …  …  給気ファン
５  …  …  空間保持枠
６  …  …  枠体
６ａ…  …  凹条部
７  …  …  支持部材
８  …  …  上側フィルム
９  …  …  下側フィルム
１０  …  …  継手シート
１１  …  …  巻上げパイプ
１２  …  …  吐出口
１３  …  …  吸込口
１４  …  …  枠部材
１５  …  …  封止シート
１６  …  …  分散板
１７  …  …  支持体
２１  …  …  農業ハウス
２２  …  …  内枠パイプ
２３  …  …  受け皿部
２４  …  …  巻上げ機
２５  …  …  可変抵抗器
２６  …  …  タイマー
２７  …  …  サイドビニール
Ｓ１  …  …  栽培室
Ｓ２  …  …  天井部空間
以  上
【図１】
2010178669.tif 000004
【図２】
2010178669.tif 000005
【図３】
2010178669.tif 000006
【図４】
2010178669.tif 000007
【図５】
2010178669.tif 000008
【図６】
2010178669.tif 000009
【図７】
2010178669.tif 000010